(57)【要約】【課題】簡単な構成で、逆止弁の弁座からの離脱圧力が変わらず、必要以上に容器を押圧した場合でも必要以上のストローク量で逆止弁が弁座から離脱することがなく、吐出時に内容物が飛び散るような勢いを抑制可能な吐出キャップを提供すること。【解決手段】吐出キャップ１００であって、容器口部２０１と嵌合する嵌合壁部１１３と、内容物Ｐを吐出する吐出筒１１４とを有するとともに、容器内部と吐出筒１１４との間に区画された弁室１３０をさらに有し、弁室１３０には、内容物Ｐを取り出す供給筒１３５及び弁座１３４を有する底部１３３と、逆止弁１３２とが設けられ、逆止弁１３２は弁座１３４方向に付勢されて弁座１３４と当接可能に構成され、逆止弁１３２の上面と弁室１３０の上壁の下面との間には、少なくとも２つの規制部材１１２が設けられていること。【選択図】図１
2019167143.tif 000002
【特許請求の範囲】
【請求項１】
容器口部に嵌合され、容器内部に収容された内容物を傾斜させて吐出する吐出キャップであって、
該吐出キャップは、本体天面と前記本体天面から垂下し前記容器口部と嵌合する嵌合部と、前記本体天面から上方に延出し、容器内部に収容された内容物を吐出する吐出筒と、前記容器内部と前記本体天面との間に区画された弁室とを有し、
前記吐出筒の先端には吐出時に傾斜した際に下方に位置する吐出誘導部が設けられており、
前記弁室には、容器内部と連通し内容物を取り出す供給筒及び弁座を有する底部と、逆止弁とが設けられ、
前記逆止弁は前記供給筒の軸線方向に沿って移動可能に設けられるとともに、前記弁座方向に付勢されて前記弁座と当接可能に構成され、
前記逆止弁の上面と前記本体天面の下面との間には、前記逆止弁の可動範囲を規制する少なくとも２つの規制部材が設けられ、
前記規制部材は、上方から見て吐出時に傾斜する方向の反対から、前記吐出筒の中心軸を中心として時計回り及び反時計回り方向にそれぞれ１３５度ずつの角度範囲にのみ形成されていることを特徴とする吐出キャップ。
【請求項２】
前記規制部材は、上方から見て吐出時に傾斜する方向の反対から、前記吐出筒の中心軸を中心として時計回りに少なくとも１つ、かつ反時計回り方向に少なくとも１つ配置されていることを特徴とする請求項１に記載の吐出キャップ。
【請求項３】
前記規制部材は、上方から見て吐出時に傾斜する方向に直交する位置に対称に１つずつ配置されていることを特徴とする請求項２に記載の吐出キャップ。
【請求項４】
前記規制部材は、軸方向に延びる柱状に形成されていることを特徴とする請求項１乃至請求項３のいずれかに記載の吐出キャップ。
【請求項５】
該吐出キャップは、キャップ本体と、中栓と、逆止弁とで構成され、
前記キャップ本体は、本体天面と、前記本体天面から上方に延出する吐出筒と、前記本体天面から垂下し容器口部と嵌合する嵌合部と、前記本体天面から垂下する係合壁部とを有し、
前記中栓は、前記係合壁部と係合可能に構成されるとともに、前記供給筒が設けられた底部を有し、
前記逆止弁は、前記供給筒の内周面と当接可能に構成されるとともに、前記供給筒の軸線方向に移動可能な弁部を有し、
前記弁室は、前記本体天面と前記係合壁部と前記底部とによって形成されていることを特徴とする請求項１乃至請求項４のいずれかに記載の吐出キャップ。
【請求項６】
前記規制部材は、前記本体天面の下面から垂下していることを特徴とする請求項１乃至請求項５のいずれかに記載の吐出キャップ。
【請求項７】
該吐出キャップは、ヒンジ接続された上蓋をさらに有していることを特徴とする請求項１乃至請求項６のいずれかに記載の吐出キャップ。
【請求項８】
該容器は、内容物を収容する可撓性の内部容器と、前記内部容器を内包する外部容器とを有した容器であって、
前記外部容器には、前記内部容器と前記外部容器との間に外気を吸引可能な吸入弁が設けられていることを特徴とする請求項１乃至請求項７のいずれかに記載の容器。
【発明の詳細な説明】
【技術分野】
【０００１】
本発明は、容器口部に嵌合され、容器内部に収容された内容物を吐出する吐出キャップに関する。
【背景技術】
【０００２】
従来、容器内部に収容された液状内容物または粘性を有する流動性内容物を吐出する吐出キャップとして、容器内部と吐出口との間に逆止弁が設けられている吐出キャップが公知である。この吐出キャップは、容器から内容物を吐出する際に、容器の外部から加圧された内容物が逆止弁を弁座から離脱させることで、容器内部から吐出口へ内容物が通過し吐出するとともに、内容物への加圧を解除することで、逆止弁が弁座に密着し容器を密閉するため、容器内部を外気から遮断でき、容器内部に残っている内容物の乾燥や酸化等の劣化を防ぐことができる。
【０００３】
例えば、特許文献１等で公知の吐出キャップは、容器口部と嵌合する嵌合部と、容器内部に収容された内容物を吐出する吐出口とを有するとともに、容器内部と吐出口との間に区画された弁室をさらに有し、弁室には、容器内部と連通し、内容物を取り出す供給孔及び弁座を有する底部と、逆止弁とが設けられ、逆止弁は供給孔の軸線方向に沿って摺動可能に設けられるとともに、弁座方向に付勢されて弁座と当接可能に構成されており、可撓性の容器に取り付けて使用する場合は容器を握る等して圧力をかけることで逆止弁が弁座から離脱し、内容物を吐出口から吐出するものであり、使用時以外は逆止弁によって供給孔は閉塞されているため、容器内部に残っている内容物の乾燥や参加等の劣化を防ぐことができる。
【先行技術文献】
【特許文献】
【０００４】
【特許文献１】特開２０１８−１６３４９号公報
【発明の概要】
【発明が解決しようとする課題】
【０００５】
しかしながら、特許文献１等で公知の吐出キャップには、未だ改善の余地があった。
すなわち、逆止弁によって容器内部を外気から遮断することはできるが、使用時に逆止弁による閉塞を解除する際、必要以上の圧力で容器を押圧してしまうと、逆止弁が弁座から急に大きく移動して流路が開きすぎてしまい、必要以上に多くの内容物を吐出してしまう虞があった。
また、弁座からの離脱圧力が高くなるような逆止弁を使用することで、流路が大きく開きにくい構成にすることも考えられるが、逆止弁が弁座から離脱するまでに時間がかかるとともに、逆止弁が弁座から離脱する際に必要な押圧力が大きいため、急激に内容物が吐出されることで内容物の流れに乱れが発生し、吐出時に周囲に飛び散る虞があった。
【０００６】
本発明は、これらの問題点を解決するものであり、簡単な構成で、逆止弁の弁座からの離脱圧力が変わらず、必要以上に容器を押圧した場合でも必要以上のストローク量で逆止弁が弁座から離脱することがなく、吐出時に内容物が飛び散るような勢いを抑制可能な吐出キャップを提供することを目的とするものである。
【課題を解決するための手段】
【０００７】
本発明の吐出キャップは、容器口部に嵌合され、容器内部に収容された内容物を傾斜させて吐出する吐出キャップであって、該吐出キャップは、本体天面と前記本体天面から垂下し前記容器口部と嵌合する嵌合部と、前記本体天面から上方に延出し、容器内部に収容された内容物を吐出する吐出筒と、前記容器内部と前記本体天面との間に区画された弁室とを有し、前記吐出筒の先端には吐出時に傾斜した際に下方に位置する吐出誘導部が設けられており、前記弁室には、容器内部と連通し内容物を取り出す供給筒及び弁座を有する底部と、逆止弁とが設けられ、前記逆止弁は前記供給筒の軸線方向に沿って移動可能に設けられるとともに、前記弁座方向に付勢されて前記弁座と当接可能に構成され、前記逆止弁の上面と前記本体天面の下面との間には、前記逆止弁の可動範囲を規制する少なくとも２つの規制部材が設けられ、前記規制部材は、上方から見て吐出時に傾斜する方向の反対から、前記吐出筒の中心軸を中心として時計回り及び反時計回り方向にそれぞれ１３５度ずつの角度範囲にのみ形成されていることにより、前記課題を解決するものである。
【発明の効果】
【０００８】
請求項１に係る吐出キャップによれば、逆止弁は供給筒の軸線方向に沿って移動可能に設けられるとともに、弁座方向に付勢されて弁座と当接可能に構成され、逆止弁の上面と本体天面の下面との間には、前記逆止弁の可動範囲を規制する少なくとも２つの規制部材が設けられているため、弁座から離脱した逆止弁を規制部材が支持することで逆止弁の可動範囲を制限でき、内容物が吐出する勢いを制限できる。
また、可動範囲を制限することで弁座からの離脱圧力の高い逆止弁を使用する必要がないため、内容物を吐出するのに過大な力を必要とせず、使用者の負担を増やすことがない。
【０００９】
また、規制部材は、上方から見て吐出時に傾斜する方向の反対から、前記吐出筒の中心軸を中心として時計回り及び反時計回り方向にそれぞれ１３５度ずつの角度範囲にのみ形成されているため、吐出時に傾斜した際の下方側に集中する内容物の流動を規制部材によって乱すことがなく、安定的に内容物を吐出できる。
請求項２に記載の構成によれば、規制部材は、上方から見て吐出時に傾斜する方向の反対から、前記吐出筒の中心軸を中心として時計回りに少なくとも１つ、かつ反時計回り方向に少なくとも１つ配置されているため、規制部材が逆止弁をバランスよく支持でき、逆止弁と弁座との間の流路を安定的に確保できる。
【００１０】
請求項３に記載の構成によれば、規制部材は、上方から見て吐出時に傾斜する方向に直交する位置に配置されているため、吐出時に傾斜した際、吐出口の下方側には規制部材が配置されることがなく、内容物の流れを乱さずにより一層安定的に吐出できる。
また、規制部材は、上方から見て吐出時に傾斜する方向に直交する位置に対称に１つずつ配置されているため、規制部材が逆止弁をより一層バランスよく支持でき、逆止弁と弁座との間の流路をさらに安定的に確保できる。
【００１１】
請求項４に記載の構成によれば、規制部材は、軸方向に延びる柱状に形成されているため、規制部材が弁室の側方から延びて逆止弁を抑える構成に比べて、逆止弁から規制部材に軸方向の力で押されても、規制部材の変形量が少なく、過大な力の必要なく確実に逆止弁の可動範囲を制限することができる。
また、流路を妨げる面積が小さくなるため、内容物の流れを乱さずにより一層安定的に吐出できる。
請求項５に記載の構成によれば、弁室は、キャップ本体の係合壁部に中栓が嵌合することで形成されるため、各部の形状の設計自由度が高く、例えば、キャップ本体側のみを形状変更して規制部材の形状を変更する場合、同じ中栓を形状の異なるキャップ本体に対して使用することができる。
【００１２】
請求項６に記載の構成によれば、規制部材は、本体天面の下面から垂下しているため、既存の逆止弁を使用することができ、コストアップを抑制できるとともに、常に吐出筒と規制部材との位置関係が固定されるため、弁室から吐出筒までの内容物が通る流路の形成状態を安定化できる。
請求項７に記載の構成によれば、吐出キャップは、ヒンジ接続された上蓋をさらに有しているため、例えば、ヒンジ接続位置を吐出筒の中心軸から見て吐出誘導部の形成方向と反対側に設けることで、吐出方向が使用者に判別しやすく、確実に内容物の流れを乱さずに安定的に吐出できる。
【００１３】
請求項８に記載の容器によれば、内容物を収容する可撓性の内部容器と、内部容器を内包する外部容器とを有した容器であって、外部容器には、内部容器と外部容器との間に外気を吸引可能な吸入弁が設けられているため、外部容器を押圧して内部容器内の圧力を高め内容物を吐出した後、外部容器の押圧を解除すると、内容物の吐出に伴い減少した外部容器内の体積を、吸入弁から外気を吸引することで補填し外部容器のみ復元することができ、使用後に内容物が少なくなった場合でも、使用前と同様の使用感で容器を押圧して逆止弁を弁座から離脱させ、内容物を吐出できる。
【図面の簡単な説明】
【００１４】
【図１】本発明の一実施形態に係る吐出キャップ１００の、側面断面図。
【図２】本発明の一実施形態に係る吐出キャップ１００の、正面断面図。
【図３】本発明の一実施形態に係るキャップ本体１１０及び上蓋１２０の下面図。
【図４】本発明の一実施形態に係る中栓１３１の上面図及び側面断面図と、逆止弁１３２の上面図及び側面図。
【図５】本発明の一実施形態に係る吐出キャップ１００の、吐出時の状態を示す正面断面図。
【図６】本発明の一実施形態に係る吐出キャップ１００の、吐出時の状態を示すＡ部拡大図。
【図７】本発明の一実施形態に係る吐出キャップ１００の、吐出時の状態を示す側面断面図。
【図８】本発明の一実施形態に係るキャップ本体１１０及び上蓋１２０の、規制部材１１２の形成範囲を示す下面図。
【００１５】
以下に、本発明の一実施形態に係る吐出キャップ１００について、図面に基づいて説明する。なお、吐出キャップ１００に嵌合する容器２００は、容器口部２０１周辺のみを図示する。
吐出キャップ１００は、容器２００の容器口部２０１に嵌合され、容器２００の内部に収容された内容物Ｐを吐出するものであり、図１乃至図３に示すように、キャップ本体１１０と、上蓋１２０と、弁室１３０とが設けられている。
【００１６】
キャップ本体１１０は、本体天面１１１と、本体天面１１１から下方に垂下する規制部材１１２および嵌合壁部１１３と、吐出口１１４ａを有する吐出筒１１４と、嵌合壁部１１３より内側で本体天面１１１から下方に円筒状に垂下する係合壁部１１５と、本体天面１１１の周縁部から下方に垂下するスカート壁１１６とを有している。
【００１７】
嵌合壁部１１３及びスカート壁１１６が容器口部２０１との嵌合部であり、キャップ本体１１０と容器２００とは、嵌合壁部１１３とスカート壁１１６の内周面上方に設けられた係合凸部１１８との間に容器口部２０１を挿入することで嵌合し、スカート壁１１６の内周面下方に設けられた係止リブ１１７を、容器口部２０１の係止突条２０２が乗り越えた位置で吐出キャップ１００と容器２００との位置関係が固定される。
また、係合壁部１１５の下端部には内方に突出する突条１１５ａが形成されている。
【００１８】
上蓋１２０は、キャップ本体１１０とヒンジ１１９によって接続されており、上蓋天面１２１と、上蓋天面１２１から垂下した閉塞栓１２２とを有している。
吐出筒１１４のヒンジ接続側と反対側には、傾斜方向Ａに向かって吐出誘導部１１４ｂが形成されている。
規制部材１１２は、図３に示すように、係合壁部１１５よりも半径方向内方側で、吐出口１１４ａの中心と上蓋１２０の中心とを結んだ線を挟むように２つ設けられている。
【００１９】
中栓１３１は、図４に示すように、中央に容器２００の内部と連通する供給孔１３５ａを有し下方に延出する円環状の供給筒１３５が設けられた円環状の底部１３３と、底部１３３の外縁部から上方に延出する複数の係合柱部１３６とを有している。
底部１３３上面から供給筒１３５内面との弧状接続領域には後述する弁部１３８の弁シール面１３８ａと当接する弁座１３４が形成されている。
【００２０】
エラストマーまたは低密度ポリエチレンの如き比較的軟質である合成樹脂から形成される逆止弁１３２は、略円板形状であって下方に位置する弁部１３８と、円環形状であって上方に位置する基部１４０と、弁部１３８と基部１４０とを接続する接続片１４１とを有する。
弁部１３８の上面は上方に膨出しており、上面と下面が上方にやや膨らんだ弧状断面形状を有している。
【００２１】
また、弁部１３８の外周面下端部には半径方向内方に向かって下方に傾斜する逆円錐台形状の弁シール面１３８ａが形成されている。
接続片１４１は周方向に等角度間隔を置いて３個配設される帯状部材である。よって、弁部１３８には接続片１４１の弾性力による下向きの復元力が常時作用せしめられる。
【００２２】
弁室１３０は、本体天面１１１の下面側に設けられており、本体天面１１１と、係合壁部１１５と、中栓１３１とで区画された空間として形成される。
弁室１３０内には、下方に付勢された逆止弁１３２の弁部１３８が、底部１３３の供給孔１３５ａの周囲に形成された弁座１３４に当接するように設けられている。
また、底部１３３は半径方向外方に向かって下方へ傾斜しており、底部１３３及び係合柱部１３６と係合壁部１１５とが当接することで、逆止弁１３２が弁室１３０内に係合保持される。
【００２３】
容器２００は、内容物Ｐを収容する可撓性の内部容器（図示しない）と、内部容器（図示しない）を内包する弾性を備えた外部容器（図示しない）とを有し、内部容器（図示しない）と外部容器（図示しない）との間に外気を吸引可能な吸入弁（図示しない）が設けられており、内容物Ｐの吐出に伴い減少した外部容器（図示しない）内の体積を、吸入弁（図示しない）から外気を吸引することで復元するものである。
【００２４】
次に、本実施形態における吐出キャップ１００による、内容物Ｐの吐出動作について、図５乃至図８を用いて説明する。
まず、容器２００を外側から押圧すると、容器２００は変形し、加圧された内容物Ｐが、弁座１３４側に付勢されている逆止弁１３２の弁部１３８を供給孔１３５ａから押し上げ、弁部１３８の弁シール面１３８ａと弁座１３４との間を通り、弁室１３０内へ流入する。
【００２５】
このとき、逆止弁１３２の開く量は押圧力の強さによって変化するため、必要以上に容器２００を押圧すると、逆止弁１３２の弁部１３８が弁座１３４から大きく離脱し、内容物Ｐが過剰に吐出されてしまう虞があるが、本発明の一実施形態に係る吐出キャップ１００は、本体天面１１１から垂下している規制部材１１２によって弁部１３８の移動量が制限されるため、弁部１３８が弁座１３４から大きく離脱することはなく、内容物Ｐが過剰に吐出されることがない。
【００２６】
また、規制部材１１２の位置によっては、弁室１３０内での内容物Ｐの流れを乱してしまい、吐出筒１１４から周囲に飛び散るように吐出されてしまう虞がある。
特に、吐出時の傾斜の際、内容物Ｐは吐出口１１４ａよりも下方側に流れ込む量が多いため、吐出口１１４ａよりも下方側に内容物Ｐの流動を妨げるような弁室１３０の内部構成は、吐出筒１１４からの内容物Ｐの吐出状態を悪化させやすい。
【００２７】
しかし、本発明の一実施形態に係る吐出キャップ１００は、規制部材１１２が嵌合壁部１１３よりも半径方向内方側で、図３に示した状態で吐出口１１４ａの中心と上蓋１２０の中心とを結んだ線を挟むように２つ設けられているため、弁部１３８をバランスよく支持できるとともに、弁室１３０内の内容物Ｐの流動を大きく妨げるようなことがなく、吐出筒１１４からの内容物Ｐの吐出状態を悪化させることがない。
【００２８】
なお、吐出キャップ１００における規制部材１１２の設置範囲は、図８に示すように、上方から見て吐出時に傾斜する方向の反対から、すなわち、ヒンジ接続部側から、吐出筒１１４の中心軸Ｒを回転中心として時計回り及び反時計回り方向にそれぞれ１３５度ずつの角度範囲内であれば内容物Ｐの流動への影響が少なく、好ましくは、吐出筒１１４の中心軸Ｒを回転中心として時計回り及び反時計回り方向にそれぞれ９０度ずつの角度範囲内がより効果的である。
また、規制部材１１２はできる限り細く、角のない丸柱状のものが、内容物Ｐの流動への影響が少ない。
さらに、逆止弁１３２から規制部材１１２に軸方向の力で押されても、規制部材１１２の変形量が少なく、確実に逆止弁１３２の可動範囲を抑制することができる。
また、規制部材１１２は、本体天面１１１の下面から垂下しているため、既存の逆止弁１３２を使用することができ、コストアップを抑制できるとともに、常に吐出筒１１４と規制部材１１２との位置関係が固定されるため、弁室１３０から吐出筒１１４までの内容物Ｐが通る流路の形成状態を安定化できる。
【００２９】
以上、本発明の実施形態を詳述したが、本発明は上記実施形態に限定されるものではなく、特許請求の範囲に記載された本発明を逸脱することなく種々の設計変更を行うことが可能である。
なお、上述した実施形態では、容器は内容物を収容する可撓性の内部容器と、内部容器を内包する弾性を備えた外部容器とで構成されているものとして説明したが、容器の構成はこれに限定されず、例えば、内部容器を用いずに外部容器のみで構成してもよく、容器底部に上下動可能なピストンを設けて、容器内容積が可変となるように構成してもよい。
【００３０】
また、上述した実施形態では、吐出キャップにはヒンジ接続された上蓋が設けられているものとして説明したが、吐出キャップの形態はこれに限定されず、例えば、上蓋がなくてもよく、キャップ本体とは別体のスクリューキャップ式の上蓋として設けてもよい。
また、上述した実施形態では、弁室は、本体天面と、係合壁部と、中栓とで区画された空間として形成されているものとして説明したが、弁室の形成方法はこれに限定されず、例えば、キャップ本体とは別体の弁室を用意し、キャップ本体の所定の位置に弁室を嵌合させて吐出キャップを構成するようにしてもよく、容器口部の先端に中栓を設け、キャップ本体と容器口部を嵌合することで弁室を形成してもよい。
【００３１】
また、上述した実施形態では、規制部材は、係合壁部よりも半径方向内方側で、吐出口の中心と上蓋の中心とを結んだ線を挟むように２つ設けられているものとして説明したが、規制部材の配置や数はこれに限定されず、例えば、吐出口の中心と上蓋の中心とを結んだ線を挟むように２つずつ規制部材を設けてもよく、一方に２つ、他方に１つの規制部材を設けてもよい。
また、上述した実施形態では、規制部材は、本体天面から下方に垂下するものとして説明したが、規制部材の配置はこれに限定されず、例えば、逆止弁の弁部の上面から上方に突出形成されていてもよく、弁室の内周壁に嵌合固定され、本体天面と弁部との間に介在するように配置されていてもよく、吐出筒に嵌合固定され、本体天面と弁部との間に介在するように配置されていてもよい。
【符号の説明】
【００３２】
１００    ・・・  吐出キャップ
１１０    ・・・  キャップ本体
１１１    ・・・  本体天面
１１２    ・・・  規制部材
１１３    ・・・  嵌合壁部
１１４    ・・・  吐出筒
１１４ａ  ・・・  吐出口
１１４ｂ  ・・・  吐出誘導部
１１５    ・・・  係合壁部
１１５ａ  ・・・  突条
１１６    ・・・  スカート壁
１１７    ・・・  係止リブ
１１８    ・・・  係合凸部
１１９    ・・・  ヒンジ
１２０    ・・・  上蓋
１２１    ・・・  上蓋天面
１２２    ・・・  閉塞栓
１３０    ・・・  弁室
１３１    ・・・  中栓
１３２    ・・・  逆止弁
１３３    ・・・  底部
１３４    ・・・  弁座
１３５    ・・・  供給筒
１３５ａ  ・・・  供給孔
１３６    ・・・  係合柱部
１３８    ・・・  弁部
１３８ａ  ・・・  弁シール面
１４０    ・・・  基部
１４１    ・・・  接続片
２００    ・・・  容器
２０１    ・・・  容器口部
２０２    ・・・  係止突条
Ａ        ・・・  傾斜方向
Ｐ        ・・・  内容物
Ｒ        ・・・  吐出筒の中心軸
【図１】
2019167143.tif 000003
【図２】
2019167143.tif 000004
【図３】
2019167143.tif 000005
【図４】
2019167143.tif 000006
【図５】
2019167143.tif 000007
【図６】
2019167143.tif 000008
【図７】
2019167143.tif 000009
【図８】
2019167143.tif 000010
【手続補正書】
【提出日】平成31年1月23日(2019.1.23)
【手続補正１】
【補正対象書類名】特許請求の範囲
【補正対象項目名】請求項８
【補正方法】変更
【補正の内容】
【請求項８】
請求項１乃至請求項７のいずれかに記載の吐出キャップに嵌合する容器であって、
前記容器は、内容物を収容する可撓性の内部容器と、前記内部容器を内包する外部容器とを有し、
前記外部容器には、前記内部容器と前記外部容器との間に外気を吸引可能な吸入弁が設けられていることを特徴とする容器。
【手続補正２】
【補正対象書類名】明細書
【補正対象項目名】００１３
【補正方法】変更
【補正の内容】
【００１３】
請求項８に係る容器によれば、内容物を収容する可撓性の内部容器と、内部容器を内包する外部容器とを有した容器であって、外部容器には、内部容器と外部容器との間に外気を吸引可能な吸入弁が設けられているため、外部容器を押圧して内部容器内の圧力を高め内容物を吐出した後、外部容器の押圧を解除すると、内容物の吐出に伴い減少した外部容器内の体積を、吸入弁から外気を吸引することで補填し外部容器のみ復元することができ、使用後に内容物が少なくなった場合でも、使用前と同様の使用感で容器を押圧して逆止弁を弁座から離脱させ、内容物を吐出できる。